Podtech/llm-jp-corpus-v4-ja_patent huggingface dataset:
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
以下の（ａ）または（ｂ）の単離されたペプチド：
（ａ）ＳＥＱ  ＩＤ  ＮＯ：５、２、３、４、９、１０、１４、２０および３２からなる群より選択されるアミノ酸配列を含み、細胞傷害性Ｔリンパ球（ＣＴＬ）誘導能を有する１５アミノ酸未満の単離されたペプチド；
（ｂ）細胞傷害性Ｔリンパ球（ＣＴＬ）誘導能を保持する改変ペプチドを得るように、ＳＥＱ  ＩＤ  ＮＯ：５、２、３、４、９、１０、１４、２０および３２からなる群より選択されるアミノ酸配列において１個、２個、または数個のアミノ酸が置換、欠失、挿入または付加されているアミノ酸配列を含む、１５アミノ酸未満の単離されたペプチド。
【請求項２】
ノナペプチドまたはデカペプチドである、請求項１記載の単離されたペプチド。
【請求項３】
以下からなる群より選択される少なくとも１つの置換を有する、請求項１または２記載のペプチド：
（ａ）ＳＥＱ  ＩＤ  ＮＯ：５、２、３、４、９、１０、１４、２０、または３２のＮ末端から２番目のアミノ酸が、ロイシンおよびメチオニンからなる群より選択されるアミノ酸であるか、または前記アミノ酸になるように改変されている、ならびに
（ｂ）ＳＥＱ  ＩＤ  ＮＯ：５、２、３、４、９、１０、１４、２０、または３２のＣ末端のアミノ酸が、バリンおよびロイシンからなる群より選択されるアミノ酸であるか、または前記アミノ酸になるように改変されている。
【請求項４】
ＳＥＱ  ＩＤ  ＮＯ：５、２、３、４、９、１０、１４、２０および３２からなる群より選択されるアミノ酸配列からなる、単離されたペプチド。
【請求項５】
請求項１〜４のいずれか一項記載のペプチドをコードする単離されたポリヌクレオチド。
【請求項６】
ＣＴＬを誘導するための組成物であって、請求項１〜４のいずれか一項記載の１種もしくは複数種のペプチド、または請求項５記載の１種もしくは複数種のポリヌクレオチドを含む、組成物。
【請求項７】
（ａ）請求項１〜４のいずれか一項記載の１種もしくは複数種のペプチド；
（ｂ）請求項５記載の１種もしくは複数種のポリヌクレオチド；
（ｃ）請求項１〜４のいずれか一項記載のペプチドとＨＬＡ抗原との複合体を自身の表面上に提示する１種もしくは複数種のＡＰＣもしくはエキソソーム；または
（ｄ）請求項１〜４のいずれか一項記載のペプチドとＨＬＡ抗原との複合体を自身の表面上に提示する細胞を認識する１種もしくは複数種のＣＴＬ、を含み、薬学的に許容される担体と組み合わせて
（ｉ）現存するがんの治療、
（ｉｉ）がんの予防、
（ｉｉｉ）がんの術後再発の予防、および
（ｉｖ）それらの組み合わせ
からなる群より選択される目的のために製剤化される、薬学的組成物。
【請求項８】
ＨＬＡ抗原がＨＬＡ−Ａ２である対象への投与のために製剤化される、請求項７記載の薬学的組成物。
【請求項９】
ＣＴＬ誘導能を有する抗原提示細胞（ＡＰＣ）を誘導するためのインビトロの方法であって、
（ａ）ＡＰＣを請求項１〜４のいずれか一項記載のペプチドとインビトロで接触させる段階、および
（ｂ）請求項１〜４のいずれか一項記載のペプチドをコードするポリヌクレオチドをＡＰＣに導入する段階
からなる群より選択される段階を含む、方法。
【請求項１０】
ＣＴＬを誘導するためのインビトロの方法であって、
（ａ）ＣＤ８陽性Ｔ細胞を、ＨＬＡ抗原と請求項１〜４のいずれか一項記載のペプチドとの複合体を自身の表面上に提示するＡＰＣと共培養する段階；
（ｂ）ＣＤ８陽性Ｔ細胞を、ＨＬＡ抗原と請求項１〜４のいずれか一項記載のペプチドとの複合体を自身の表面上に提示するエキソソームと共培養する段階；および
（ｃ）Ｔ細胞受容体（ＴＣＲ）サブユニットポリペプチドによって形成されるＴＣＲがＨＬＡ抗原と請求項１〜４のいずれか一項記載のペプチドとの複合体に細胞表面で結合することができる、該ＴＣＲサブユニットポリペプチドをコードする１つまたは複数のポリヌクレオチドをＴ細胞に導入する段階
からなる群より選択される段階を含む、方法。
【請求項１１】
ＨＬＡ抗原と請求項１〜４のいずれか一項記載のペプチドとの複合体を自身の表面上に提示する、単離されたＡＰＣ。
【請求項１２】
（ａ）ＡＰＣを請求項１〜４のいずれか一項記載のペプチドとインビトロで接触させる段階、および
（ｂ）請求項１〜４のいずれか一項記載のペプチドをコードするポリヌクレオチドをＡＰＣに導入する段階
からなる群より選択される段階を含む方法によって誘導される、請求項１１記載のＡＰＣ。
【請求項１３】
請求項１〜４のいずれか一項記載のペプチドを標的とする、単離されたＣＴＬ。
【請求項１４】
（ａ）ＣＤ８陽性Ｔ細胞を、ＨＬＡ抗原と請求項１〜４のいずれか一項記載のペプチドとの複合体を自身の表面上に提示するＡＰＣと共培養する段階；
（ｂ）ＣＤ８陽性Ｔ細胞を、ＨＬＡ抗原と請求項１〜４のいずれか一項記載のペプチドとの複合体を自身の表面上に提示するエキソソームと共培養する段階；および
（ｃ）Ｔ細胞受容体（ＴＣＲ）サブユニットポリペプチドによって形成されるＴＣＲがＨＬＡ抗原と請求項１〜４のいずれか一項記載のペプチドとの複合体に細胞表面で結合することができる、該ＴＣＲサブユニットポリペプチドをコードする１つまたは複数のポリヌクレオチドを導入する段階
からなる群より選択される段階を含む方法によって誘導される、請求項１３記載のＣＴＬ。
【請求項１５】
対象においてがんに対する免疫応答を誘導するための組成物であって、請求項１〜４のいずれか一項記載のペプチドもしくはその免疫学的活性断片、または該ペプチドもしくは該断片をコードするポリヌクレオチドを含む、組成物。
【請求項１６】
請求項１〜４のいずれか一項記載のペプチドとＨＬＡ抗原とを含む複合体を提示する、エキソソーム。
【請求項１７】
請求項１〜４のいずれか一項記載のペプチドをコードするヌクレオチド配列を含む、ベクター。
【請求項１８】
請求項１７記載のベクターで形質転換またはトランスフェクトした、宿主細胞。
【請求項１９】
請求項１〜４のいずれか一項記載のペプチドに対する抗体、またはその免疫学的活性断片。
【請求項２０】
請求項１〜４のいずれか一項記載のペプチド、請求項５記載のポリヌクレオチド、または請求項１９記載の抗体もしくは免疫学的活性断片を含む、診断キット。
【請求項２１】
ＣＴＬ誘導能を有するＡＰＣを誘導するための組成物であって、請求項１〜４のいずれか一項記載の１種もしくは複数種のペプチド、または請求項５記載の１種もしくは複数種のポリヌクレオチドを含む、組成物。
【手続補正２】
【補正対象書類名】明細書
【補正対象項目名】０２０８
【補正方法】変更
【補正の内容】
【０２０８】
【表１】
2014500001.tif 000001
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
狂犬病ウイルス（ＲＶ）糖タンパク質（Ｇタンパク質）およびＮＰ９洗浄剤を含むミセルであって、Ｇタンパク質が三量体型である、ミセル。
【請求項２】
ＲＶ  Ｇタンパク質が配列番号２の配列を含む、請求項１に記載のミセル。
【請求項３】
ＲＶ  Ｇタンパク質がヒト、イヌ、コウモリ、アライグマ、スカンク、およびキツネから選択されるＲＶ株由来である、請求項１に記載のミセル。
【請求項４】
請求項１に記載のミセル、および薬学的に許容される担体、希釈剤または賦形剤を含む、医薬組成物。
【請求項５】
さらにアジュバントを含む、請求項４に記載の医薬組成物。
【請求項６】
アジュバントがアルミニウムアジュバントである、請求項５に記載の医薬組成物。
【請求項７】
狂犬病ウイルス（ＲＶ）糖タンパク質（Ｇタンパク質）を含むミセルを含む、狂犬病感染を処置または防止するための医薬組成物であって、Ｇタンパク質が三量体を形成する、医薬組成物。
【請求項８】
ミセルが、宿主において抗Ｇタンパク質抗体の産生を増加する、請求項４または７に記載の医薬組成物。
【請求項９】
産生される抗Ｇタンパク質抗体が中和抗体である、請求項８に記載の医薬組成物。
【請求項１０】
産生される抗Ｇタンパク質抗体が防御抗体である、請求項９に記載の医薬組成物。
【請求項１１】
単一用量の投与後に、ミセルが、宿主において抗Ｇタンパク質抗体の産生を誘導する、請求項８に記載の医薬組成物。
【請求項１２】
ミセルが、７日間で、血清防御力価を提供する、請求項８に記載の医薬組成物。
【請求項１３】
三量体狂犬病ウイルス（ＲＶ）糖タンパク質（Ｇタンパク質）を含むミセルの作製方法であって：
（ａ）ＲＶ  Ｇタンパク質をコードする単離された核酸で昆虫宿主細胞を形質転換する工程と、
（ｂ）ミセルの産生を促す条件下で昆虫宿主細胞を培養する工程と、
（ｃ）ＮＰ９洗浄剤の存在下でミセルを単離する工程と、
を含む、方法。
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
複数の競技者でゲームを行うゲーム装置であって、
少なくとも４つの等しい面を有するピラミッドを表すゲーム・ボードであって、各面が、最も低い階段状レベルを含めて複数の階段状レベルを備え、前記ピラミッドの頂上が水平面又は尖頭であるゲーム・ボードと、
ピラミッド面の数に等しい数の群に分割された複数の駒であって、
駒の各群内の駒の数が、前記ピラミッド面の数より１つ少ない、前記駒と、
各駒が前記さいころの目に基づいて移動されるさいころと、
を備え、
競技者に割り当てられたピラミッド面の最低レベルから前記駒を移動させ、前記ピラミッド尖頭上に配置した後に、前記ピラミッド尖頭から前記ピラミッド面の最低レベルまで、残りのピラミッド面の１つの下方へ前記駒を移動させ、前記残りのピラミッド面のそれぞれに、１人の競技者に割り当てられた１つの駒を配置するゲーム装置。
【請求項２】
駒が前記さいころの正確な目でちょうど前記尖頭又は最低レベルに到達できなかった場合、前記駒は、前記尖頭又は前記最低レベルに到達した後に後方へ戻る、請求項１に記載のゲーム装置。
【請求項３】
前記駒のすべての移動が前方へ行われ、後方へ戻るときは後方への移動が許可される、請求項１に記載のゲーム装置。
【請求項４】
前記ピラミッド面の数に等しい群に分割された等しい数の複数のカードをさらに含む、請求項１に記載のゲーム装置。
【請求項５】
競技者が無作為に引いた前記カードを使用して、前記駒を後方又は横方向へ移動させることができる、請求項４に記載のゲーム装置。
【請求項６】
駒がそれぞれの残りのピラミッド面の最低レベルに着いた競技者が勝者となる、請求項１に記載のゲーム装置。
【請求項７】
各競技者が色を選択し、同じ色の駒が割り当てられ、各競技者が、同じ色の付いたカードの群から、カードの総数より少ない等しい数のカードを無作為に引く、請求項１に記載のゲーム装置。
【請求項８】
前記さいころの正確な目に基づいて、ちょうど前記尖頭又はピラミッド面の最低位に到達する、請求項１に記載のゲーム装置。
【請求項９】
各面の最も低い階段状レベルの高さが、他の面の最も低い階段状レベルに対応する、請求項１に記載のゲーム装置。
【請求項１０】
各面の対応して高い各階段状レベルの高さが、他の面の対応して高い階段状レベルに対応する、請求項１に記載のゲーム装置。
【請求項１１】
各面の各階段状レベルが同一の高さ及び幅を有する、請求項１に記載のゲーム装置。
【請求項１２】
各面に対する最も低い階段状レベルが１８個のくぼみを含み、前記最も低い階段状レベルより１つ上のレベルが、前記最も低い階段状レベルより２つ少ないくぼみを有し、連続して次に高い各階段状レベルが、真下の階段状レベルより２つ少ない円形のくぼみを有し、前記切頭状の尖頭の真下の最も高いレベルには、２つのくぼみしかない、請求項１に記載のゲーム装置。
【請求項１３】
前記ゲーム・ボードが３次元である、請求項１に記載のゲーム装置。
【請求項１４】
前記ゲーム・ボードが２次元である、請求項１に記載のゲーム装置。
【請求項１５】
前記尖頭に位置する駒が、前記さいころの正確な目によってちょうど前記尖頭に到達した別の駒によって追放される、請求項１に記載のゲーム装置。
【請求項１６】
前記追放された尖頭駒が、同じ駒が上昇してきた前記ピラミッド面の前記最低レベルへ戻される、請求項１５に記載のゲーム装置。
【請求項１７】
前記追放された駒に関連する競技者が、そのようなピラミッド面の前記最低レベルの任意のくぼみ上に前記駒を配置する、請求項１６に記載のゲーム装置。
【請求項１８】
前記尖頭に到達した駒が、少なくとも１つの駒を移動できる他の競技者にもう一度順番が回った後に前記尖頭上に位置した後にのみ下降することができる、請求項１に記載のゲーム装置。
【請求項１９】
前記駒が、前記尖頭に上らなくても１つの面から別の面へ進むように、前記ピラミッド面の上方へ代替の経路に沿って移動する、請求項１に記載のゲーム装置。
【請求項２０】
前記ゲーム・ボードが円錐形の形状であり、又は５面から６面のピラミッドである、請求項１に記載のゲーム装置。
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
管状構造内から物質を回収するための装置であって、
該装置が、近位端および遠位端を有し、
前記近位端に配置される装置本体と、
該装置本体から前記遠位端方向に延び、前記管状構造内に配置可能なサイズの導管と、
前記装置本体に作動可能に設けられた少なくとも１つのアクチュエータと、
前記導管を通って少なくとも部分的に延びる第１のストランドと、
前記導管を通って少なくとも部分的に延びる第２のストランドと、を備え、
前記第１および第２のストランドが、前記装置の前記遠位端に固定されるとともに、前記第２のストランドが、前記第１のストランドの少なくとも遠位部分の所定長さにわたって、前記第１のストランドの周囲に巻かれ、
前記少なくとも１つのアクチュエータは、前記第２のストランドが前記管状構造から前記物質を回収するために前記物質を捕獲するためのトロール（ｔｒａｗｌ）体積を画定する拡張状態を、前記第２のストランドに取らせるように作動可能である、装置。
【請求項２】
前記トロール体積が、前記拡張状態にある前記第２のストランドの螺旋形状によって画定される、請求項１に記載の装置。
【請求項３】
前記トロール体積が、前記遠位端に向かうにつれて、内側の前記第１のストランドに向かって先細になる、請求項１または請求項２に記載の装置。
【請求項４】
前記第２のストランドが、該第２のストランドの少なくとも遠位部分の所定長さにわたって、形状記憶合金から形成され、
前記第２のストランドの前記遠位部分の前記長さが、前記トロール体積を画定する、形状記憶を有するように形成されている請求項１から請求項３のうちのいずれか一項に記載の装置。
【請求項５】
前記拡張状態において、前記第２のストランドが、前記導管の外側直径を越えて放射状に拡張する、請求項１から請求項４のうちのいずれか一項に記載の装置。
【請求項６】
前記少なくとも１つのアクチュエータは、前記第２のストランドが、前記第１のストランドに隣接して延びる収縮状態を、前記第２のストランドに取らせるように作動可能である、請求項１から請求項５のうちのいずれか一項に記載の装置。
【請求項７】
前記第１のストランドの直径および剛性が、前記第２のストランドの直径および剛性よりも大きい、請求項１から請求項６のうちのいずれか一項に記載の装置。
【請求項８】
前記装置の遠位末端に設置される遠位端スリーブをさらに備え、該遠位端スリーブが、前記導管の直径以上の直径を有し、前記第１および第２のストランドの遠位端を収容し、
前記遠位端スリーブが、前記第１および第２のストランドの前記遠位端を、共に締め付けるかまたは圧着することによって、互いの固定関係を保持し、
前記遠位端スリーブが、丸い外部輪郭を有する請求項１から請求項７のうちのいずれか一項に記載の装置。
【請求項９】
前記少なくとも１つのアクチュエータは、前記第１および第２のストランドの所定長さの遠位部分が前記導管内に実質的に収容される収縮状態を前記第１および第２のストランドに取らせるように作動可能であり、前記収縮状態において、前記導管は、前記第２のストランドが前記拡張状態を取るのを妨げ、
前記少なくとも１つのアクチュエータは、前記第１および第２のストランドの所定長さの遠位部分の前記導管による覆いが実質的に取られる拡張状態を、前記第１および第２のストランドに取らせて作動可能であり、前記拡張状態において、前記導管は、前記第２のストランドが前記拡張状態を取るのを妨げない、請求項１から請求項８のうちのいずれか一項に記載の装置。
【請求項１０】
前記少なくとも１つのアクチュエータが、第１および第２のアクチュエータを含み、
該第１および第２のアクチュエータが、別々に作動可能であり、
前記第１のストランドが、前記第１のアクチュエータに連結され、前記第２のストランドが、前記第２のアクチュエータに連結され、それによって、前記第１および第２のアクチュエータ間の相対運動が、前記第１のストランドと第２のストランドとの間の相対運動を引き起こし、
前記第２のストランドが、前記第１および第２のアクチュエータ間の相対運動に応じて、前記拡張状態を取らされる、請求項１から請求項９のうちのいずれか一項に記載の装置。
【請求項１１】
前記少なくとも１つのアクチュエータが、前記装置本体に相対的に移動可能であり、前記装置本体の前記少なくとも１つの相補的な構造部と係合する前記少なくとも１つの係合部を有し、少なくとも１つの係合部が、少なくとも１つの相補的な構造部と係合されるとき、前記少なくとも１つのアクチュエータが前記装置本体に対して適所に保持されるように呼応している、請求項１から請求項１０のうちのいずれか一項に記載の装置。
【請求項１２】
前記少なくとも１つのアクチュエータが、前記装置本体に対してスライド可能に移動可能であり、
前記少なくとも１つのアクチュエータが、前記第１のストランドおよび前記第２のストランドのうちの少なくとも１つの軸方向移動を引き起こし、軸方向にスライドして移動可能である、請求項１から請求項１１のうちのいずれか一項に記載の装置。
【請求項１３】
前記導管は、前記第１および第２のストランドが延びる管腔を画定し、該管腔、ならびに前記第１および第２のストランドが、前記管腔を通って前記遠位端の方へ流体を流すことができるサイズであり、
前記装置本体上に配置される流体注入口をさらに備え、該流体注入口が、造影流体を前記流体注入口から前記管腔を介して前記遠位端へ通過させることを可能にし、前記管腔と流体的に連絡している、請求項１から請求項１２のうちのいずれか一項に記載の装置。
【請求項１４】
前記導管が、内視鏡の器具通路内に収容可能なサイズである、請求項１から請求項１３のうちのいずれか一項に記載の装置。
【請求項１５】
前記第１および第２のストランドが、生体適合材料から形成される金属ストランドである、請求項１から請求項１４のうちのいずれか一項に記載の装置。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
第１の要素を駆動するよう構成された第１の駆動部材と、
第２の要素を駆動するよう構成された第２の駆動部材と、
前記第１の駆動部材および前記第２の駆動部材の一連の解放を制御するよう構成された解放メカニズムとを備え、
前記解放メカニズムは、少なくとも部分的に前記第１または第２の駆動部材内に配置される、自己注射器用送達メカニズム。
【請求項２】
前記解放メカニズムは、少なくとも部分的に前記第１および前記第２の駆動部材の両方の内に配置される、請求項１に記載の送達メカニズム。
【請求項３】
前記第２の駆動部材は、少なくとも部分的に前記第１の駆動部材内に配置される、請求項１又は請求項２に記載の送達メカニズム。
【請求項４】
使用の際、前記第１および第２の駆動部材の一方が針を対象に挿入する力を与える主因となり、前記第１および第２の駆動部材の他方が前記針から薬物を放出する力を与える主因となる、請求項１から請求項３までのいずれか１項に記載の送達メカニズム。
【請求項５】
前記第１の駆動部材は、本体と前記第１の要素との間に配置され、前記第２の駆動部材は、前記第１の要素と前記第２の要素との間に配置される、請求項１から請求項４までのいずれか１項に記載の送達メカニズム。
【請求項６】
前記解放メカニズムは、
前記本体に固定された、または前記本体の一部であるロック面と、
前記ロック面が内維持要素に対して所定距離移動するまで前記第２の駆動部材を維持し、その後前記第２の駆動部材が解放されるよう構成された内維持要素とを含み、
前記第１の駆動部材の解放により、前記内維持要素が前記第２の駆動部材を解放するために前記ロック面に対して移動する、請求項５に記載の送達メカニズム。
【請求項７】
前記内維持要素は、前記第１の要素の支持面と係合するラッチを含む、請求項６に記載のメカニズム。
【請求項８】
前記ロック面は、前記第１の駆動部材が解放される前、前記ラッチを前記支持面との係合位置で維持する、請求項７に記載のメカニズム。
【請求項９】
使用の際、前記第１の駆動部材は解放される前の初期位置から解放後の最終位置へ移動し、前記第２の駆動部材は解放される前の初期位置から解放後の最終位置へ移動し、
さらに、前記第１および第２の駆動部材が最終位置に移動したときに音が発生するよう構成された音発生メカニズムを備え、
前記音発生メカニズムは、少なくとも部分的に前記第１および第２の駆動部材の両方の内に配置される、請求項１から請求項８までのいずれか１項に記載のメカニズム。
【請求項１０】
前記音発生メカニズムは２以上の面を有し、前記第２の駆動部材がその最終位置に実質的に到達したときに、これらの面の一方を他方にぶつけて音が発生し、
前記面の１つは、前記第２の要素に固定されている、または前記第２の要素の一部であり、
前記面の１つは、前記第１の要素に固定されている、または前記第１の要素の一部である、
請求項９に記載のメカニズム。
【請求項１１】
請求項１から請求項１０までのいずれか１項にかかるメカニズムを備える、自己注射器。
【請求項１２】
筐体と、
針に連結された前端を有する薬物容器と、
前記薬物容器の後端に連結された解放可能な駆動メカニズムであって、使用の際、前記針を対象に挿入するために、初期構成から最終構成へ変化して前記薬物容器および前記針を前記筐体に対して移動させる駆動メカニズムと、
前記駆動メカニズムを前記初期構成に維持する解放可能なロックメカニズムであって、前記筐体に固定されて前記薬物容器の前端に係合するロックメカニズムとを備える、自己注射器。
【請求項１３】
前記ロックメカニズムは、前記筐体に相対的に固定された弾性アームを含む、請求項１２に記載の自己注射器。
【請求項１４】
前記解放可能なロックメカニズムは、患者の皮膚表面を検知するよう構成された皮膚センサに連結されており、
前記皮膚センサは、皮膚表面に押し付けられると前記筐体に対して移動する可動要素を含み、前記可動要素の移動により前記ロックメカニズムが前記薬物容器の前端との係合状態から解放される、
請求項１２又は請求項１３に記載の自己注射器。
【請求項１５】
使用の際、初期構成から最終構成へ変化して自己注射器から薬物を放出する解放可能な駆動メカニズムと、
前記駆動メカニズムに連結されて、駆動メカニズムが前記最終構成に変化すると音が発生するよう構成された音発生手段とを備え、
前記音発生手段は、使用の際、完全に前記駆動メカニズム内に配置される、自己注射器用送達メカニズム。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
上側部分と底側部分とを備え、前記底側部分は乾燥材料を格納するように適合する一体形チャンバーを形成し；
リブ輪郭が所定の曲率を有する容器の内面に設けられ；
セパレータ手段が前記容器の内側に設けられて前記上側部分と底側部分とを分離し；
前記セパレータ手段は前記リブ輪郭にスナップロックされ、
前記セパレータ手段は周面によって互いに結合される少なくとも２つの実質的に平行な孔あき表面を有する孔あきディスク手段を備え、前記２つの孔あき表面はその表面間に所定の適当な間隔を有し、前記容器の中の製品が前記乾燥材料に接触する可能性がない、タブレットおよび／又はカプセルを格納する容器。
【請求項２】
前記乾燥材料が、サシェ，キャニスター，被膜固形成形品（ＣＳＦ）から選択された形態の中にある請求項１記載の容器。
【請求項３】
閉鎖キャップをさらに備える請求項１又は２に記載の容器。
【請求項４】
前記閉鎖キャップは、ライナー付きねじキャップである請求項３記載の容器。
【請求項５】
前記閉鎖キャップはアルミニウムホイールからなるライナーが随意に詰められる請求項３又は４記載の容器。
【請求項６】
前記閉鎖キャップは、随意に、子供が開けられない閉鎖キャップである請求項３記載の容器。
【請求項７】
前記子供が開けられない閉鎖キャップは、ライナー付きの、子供が開けられない閉鎖キャップである請求項６記載の容器。
【請求項８】
前記子供が開けられない閉鎖キャップは、アルミニウム箔からなるライナーが随意に詰められる請求項６又は７記載の容器。
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
中間体（３０）に枢動可能に接続された第１の基本要素（４０）および第２の基本要素（５０）を備える人工関節と、前記第１の基本要素（４０）から延在する第１の突起部（４１）と、前記第２の基本要素（５０）から延在する第２の突起部（５１）とを備えたキットオブパーツであって、
中心孔（６３）を有し、第１の骨部材（６）に固定された第１のねじデバイス（６０）と、
中心孔（７３）を有し、第２の骨部材（７）に固定された第２のねじデバイス（７０）とを備え、
前記第１の突起部（４１）および前記第２の突起部（５１）は、前記第１の骨部材（６）の前記中心孔（６３）および前記第２の骨部材（７）の前記中心孔（７３）にそれぞれ圧入されるように構成され、
各突起部（４１，５１）は、それぞれの突起部（４１，５１）とねじデバイス（６０，７０）との間の把持力を増加するための突起（４１１，５１１）を含み、
前記中心孔（６３，７３）は、それぞれの突起部（４１，５１）を受容するための軸方向の円形ボアを有し、
前記中心孔（６３，７３）は、それぞれの突起部（４１，５１）を受容するための軸方向の円形ボアを有することを特徴とする、キットオブパーツ。
【請求項２】
前記突起（４１１，５１１）は細長い、請求項１に記載のキットオブパーツ。
【請求項３】
前記第１の突起部（４１）、および前記第１の突起部（４１）の前記突起（４１１）は、共通の方向に延在し、
前記第２の突起部（５１）、および前記第２の突起部（５１）の前記突起（５１１）は、共通の方向に延在する、請求項１または２に記載のキットオブパーツ。
【請求項４】
前記突起は、ギザギザ（４１１，５１１）の形状を有する、請求項１〜３のいずれか１項に記載のキットオブパーツ。
【請求項５】
前記突起（４１１，５１１）は、各突起部（４１，５１）について、少なくとも６つの突起を含む、請求項１〜４のいずれか１項に記載のキットオブパーツ。
【請求項６】
前記突起（４１１，５１１）は、それぞれの突起部（４１，５１）の周囲に沿って離間している、請求項１〜５のいずれか１項に記載のキットオブパーツ。
【請求項７】
前記突起（４１１，５１１）は、前記突起部（４１，５１）が前記第１および第２のねじデバイス（６０，７０）に圧入されるときに、変形するように構成される、請求項１〜６のいずれか１項に記載のキットオブパーツ。
【請求項８】
それぞれの前記突起部（４１，５１）の前記突起（４１１，５１１）は、０．２〜０．５ｍｍの距離だけ離間され、
前記突起（４１１，５１１）の各々は、１．０〜３．０ｍｍの長さを有し、
前記突起（４１１，５１１）の各々は、０．１〜０．５ｍｍの幅を有する、請求項１〜７のいずれか１項に記載のキットオブパーツ。
【請求項９】
前記突起（４１１，５１１）の各々は、それぞれの前記基本要素（４０，５０）からある方向にテーパ状にされ、
各突起部（４１，５１）は、円形断面を有する、請求項１〜８のいずれか１項に記載のキットオブパーツ。
【請求項１０】
各突起部（４１，５１）は、それぞれ、１．０〜３．０ｍｍの直径を有する円形終端セクションを有し、
各突起部（４１，５１）は、それぞれの基本要素（４０，５０）から、２．８〜５．８ｍｍ延在する、請求項１〜９のいずれか１項に記載のキットオブパーツ。
【請求項１１】
前記中間体（３０）は、第１の凸型曲面（３１）および第２の凸型曲面（３２）を含み、
前記第１の基本要素（４０）は、前記第１の凸型曲面（３１）に対面する第１の凹型曲面（４６）を含み、
前記第２の基本要素（５０）は、前記第２の凸型曲面（３１）に対面する第２の凹型曲面（４６）を含み、
多くのピン要素（８１，８２，８３）は、前記基本要素（４０，５０）を前記中間体（３０）に枢動可能に接続する、請求項１〜１０のいずれか１項に記載のキットオブパーツ。
【請求項１２】
中手指節間関節、近位指節間関節、または遠位指節間関節を置換するように構成される、請求項１〜１１のいずれか１項に記載のキットオブパーツ。
【請求項１３】
前記中心孔（６３）は、前記第１および第２のねじデバイス（６０，７０）がトルクスドライバ（torx driver）（登録商標）を用いることによって、患者の骨にねじ込まれることを可能とするトルクスヘッド（torx head）（登録商標）を有する上部セクション（
６４）を含む、請求項１〜１２のいずれか１項に記載のキットオブパーツ。
【請求項１４】
前記突起部の材料は、前記ねじデバイスが作られる材料よりも硬い材料で作られている、請求項１〜１３のいずれか１項に記載のキットオブパーツ。
【請求項１５】
前記突起部は、防食かつ防酸のクロムニッケルモリブデン合金鋼で作られており、
前記ねじデバイスは、アルミバナジウムチタン合金で作られている、請求項１〜１４のいずれか１項に記載のキットオブパーツ。
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
人間の眼の光学系に移植可能なベースレンズ（１００００’）であって、
前記ベースレンズは、水平面を画定する光学部分（１２３００’）と、
前記光学部分からそれぞれ略反対方向へ延在する一対のハプティックであって、前記一対のそれぞれのハプティックは、前記光学部分から延在する第一アーム（１２１００’）と第二アーム（１２２００’）と、前記第一アームと前記第二アームを接続して前記第一アームと前記第二アームと前記光学部分と接続部材の間に開口（１２４００’）を形成する接続部材とを備え、前記一対のそれぞれのハプティックは、前記第一アーム（１２１００’）と接続され、前記光学部分から前記開口（１２４００’）まで延在した第一支持アーム（１２５００’）と、前記第二アーム（１２２００’）と接続され前記光学部分から前記開口（１２４００’）まで延在した第二支持アーム（１２５００’）も備えた一対のハプティックと、
前記一対のハプティックにそれぞれ設けられた一対のフランジ（１０００５）であって、前記各フランジ（１０００５）は、対応する前記ハプティックの第一支持アーム（１２５００’）の自由端と接続される下端を有する第一縦アームと、対応する前記ハプティックの第二支持アーム（１２５００’）の自由端と接続される下端を有する第二縦アームと、前記第一と第二縦アームを接続するために前記第一縦アームの上端と前記第二縦アームの上端の間に延在する水平アームとを備えた一対のフランジと、
からなるベースレンズ。
【請求項２】
人間の眼の光学系に移植可能なマルチコンポーネント型眼内レンズにおいて、
前記マルチコンポーネント型眼内レンズは、請求項１に記載のベースレンズ（１００００’）及び光学アセンブリ（２０００、３０００）を有し、
前記ベースレンズ及び前記光学アセンブリは、各々、視力を矯正するための光学部分と前記光学部分と区別される残部とを有し、
前記残部は、前記光学部分よりも不透明であり、
前記残部は、該残部のみから分泌される薬剤を含む
ことを特徴とするマルチコンポーネント型眼内レンズ。
【請求項３】
前記ベースレンズの前記ハプティック（１２１００’）は前記薬剤を含むことを特徴とする請求項２に記載のマルチコンポーネント型眼内レンズ。
【請求項４】
前記光学アセンブリが突起を備え、前記光学アセンブリの前記突起（２１００）が前記薬剤の貯蔵と放出が可能な材料で構成されていることを特徴とする請求項２に記載のマルチコンポーネント型眼内レンズ。
【請求項５】
人間の眼の光学系に移植可能なマルチコンポーネント型眼内レンズにおいて、
前記マルチコンポーネント型眼内レンズは、請求項１に記載のベースレンズ（１００００’）と、前記ベースレンズの上面において該ベースレンズに係合する光学アセンブリ（２０００、３０００）と、を有し、
前記光学アセンブリは光学部分を有し、
前記ベースレンズの前記光学部分（１２３００’）と前記光学アセンブリの前記光学部分とは、協働して視力を矯正するよう機能することを特徴とするマルチコンポーネント型眼内レンズ。
【請求項６】
前記光学アセンブリ（２０００、３０００）が複数のレンズを有することを特徴とする請求項５に記載のマルチコンポーネント型眼内レンズ。
【請求項７】
前記光学アセンブリ（２０００、３０００）が単一のレンズから成ることを特徴とする請求項５に記載のマルチコンポーネント型眼内レンズ。
【請求項８】
人間の眼の光学系に移植可能なマルチコンポーネント型眼内レンズにおいて、
前記マルチコンポーネント型眼内レンズは、請求項１に記載のベースレンズ（１００００’）と、前記ベースレンズに係合する光学アセンブリと、を有し、
前記光学アセンブリは少なくとも一つのレンズ（２１０００，２２０００，２３０００）を有し、
前記少なくとも一つのレンズは前記ベースレンズの前記光学部分（１２３００’）と形状が異なることを特徴とするマルチコンポーネント型眼内レンズ。
【請求項９】
前記少なくとも一つのレンズ（２１０００，２３０００）が前記ベースレンズの前記光学部分（１２３００’）とは異なる直径を有することを特徴とする請求項８に記載のマルチコンポーネント型眼内レンズ。
【請求項１０】
前記少なくとも一つのレンズ（２１０００，２３０００）が前記ベースレンズの前記光学部分（１２３００’）よりも大きい直径を有することを特徴とする請求項８に記載のマルチコンポーネント型眼内レンズ。
【請求項１１】
前記少なくとも一つのレンズ（２１０００，２３０００）が曲線状の縁を有することを特徴とする請求項８に記載のマルチコンポーネント型眼内レンズ。
【請求項１２】
前記ベースレンズの前記光学部分（１２３００’）は鋭い又は角度の付いた縁を有することを特徴とする請求項８又は１０に記載のマルチコンポーネント型眼内レンズ。
【手続補正書】
【提出日】平成26年9月12日(2014.9.12)
【手続補正１】
【補正対象書類名】明細書
【補正対象項目名】００５７
【補正方法】変更
【補正の内容】
【００５７】
カーボンナノチューブ含有分散体の使用の更なる例は、ポリマー物質を調製するための導電性前駆物質、およびＣＮＴ含有組成物を調製するため（例えばＣＮＴを様々なマトリックス、特にポリマーに配合するため）の出発物質である。カーボンナノチューブ含有分散体は、ガラス繊維サイズ剤に、セラミックを含浸するために、コンクリートを強化するために、ラテックス（ゴムなど）を変性するために、分散塗料（墨黒、電磁遮蔽剤）において、付加的に使用される。
本発明の好ましい態様は、以下を包含する。
〔１〕１．分散剤、分散助剤および任意にカーボンナノチューブの混合物を調製する工程、
２．工程１においてカーボンナノチューブを添加した場合は、任意に工程１の混合物を予備分散させる工程、
３．工程１の混合物または工程２の予備分散混合物を分散させる工程であって、高圧ホモジナイザーを使用して分散を実施し、分散中、混合物の全てまたは一部をループにガイドし、分散中、別のＣＮＴ（カーボンナノチューブ）凝集物を混合物に連続的または不連続的に添加し、初期分散体を得ることを特徴とする工程、
４．工程３で得た初期分散体を、場合によりループモードで、高圧ホモジナイザーで更に分散させて、最終分散体を得る工程
を含む、カーボンナノチューブ含有分散体の製造方法。
〔２〕工程３において、別のＣＮＴ凝集物を、分散体の粘度が最大値を通り越したときに添加することを特徴とする、上記〔１〕に記載の方法。
〔３〕分散体の総重量に基づいて５重量％超のＣＮＴ濃度を有する最終分散体を得、有効処理量が２Ｌ／時より大きいことを特徴とする、上記〔１〕または〔２〕に記載の方法。
〔４〕上記〔１〕〜〔３〕のいずれかに記載の方法によって得ることができるカーボンナノチューブ最終分散体であって、分散体の総重量に基づいたＣＮＴの割合が５重量％超、好ましくは５．５重量％超、特に好ましくは６重量％超であることを特徴とする、カーボンナノチューブ最終分散体。
〔５〕レーザー回折分光測定によって測定されるＤ９０値が５μｍ未満であることを特徴とする、上記〔４〕に記載のカーボンナノチューブ最終分散体。
〔６〕分散助剤がポリマー分散助剤からなる群から選択されることを特徴とする、上記〔４〕または〔５〕に記載のカーボンナノチューブ最終分散体。
〔７〕カーボンナノチューブがマルチスクロール型カーボンナノチューブを含むことを特徴とする、上記〔４〕〜〔７〕のいずれかに記載のカーボンナノチューブ最終分散体。
〔８〕カーボンナノチューブが完全にまたは部分的に官能化されていることを特徴とする、上記〔４〕〜〔８〕のいずれかに記載のカーボンナノチューブ最終分散体。
〔９〕上記〔４〕〜〔９〕のいずれかに記載の最終分散体の、導電性塗料またはインキとしての、或いはポリマー物質製造用前駆物質としての使用。
【手続補正２】
【補正対象書類名】特許請求の範囲
【補正対象項目名】全文
【補正方法】変更
【補正の内容】
【特許請求の範囲】
【請求項１】
１．分散剤、分散助剤および任意にカーボンナノチューブの混合物を調製する工程、
２．工程１においてカーボンナノチューブを添加した場合は、任意に工程１の混合物を予備分散させる工程、
３．工程１の混合物または工程２の予備分散混合物を分散させる工程であって、高圧ホモジナイザーを使用して分散を実施し、分散中、混合物の全てまたは一部をループにガイドし、分散中、別のＣＮＴ（カーボンナノチューブ）凝集物を混合物に連続的または不連続的に添加し、初期分散体を得ることを特徴とする工程、
４．工程３で得た初期分散体を、場合によりループモードで、高圧ホモジナイザーで更に分散させて、最終分散体を得る工程
を含む、カーボンナノチューブ含有分散体の製造方法。
【請求項２】
工程３において、別のＣＮＴ凝集物を、分散体の粘度が最大値を通り越したときに添加することを特徴とする、請求項１に記載の方法。
【請求項３】
分散体の総重量に基づいて５重量％超のＣＮＴ濃度を有する最終分散体を得、有効処理量が２Ｌ／時より大きいことを特徴とする、請求項１または２に記載の方法。
【請求項４】
請求項１〜３のいずれかに記載の方法によって得ることができるカーボンナノチューブ最終分散体であって、分散体の総重量に基づいたＣＮＴの割合が５重量％超、好ましくは５．５重量％超、特に好ましくは６重量％超であることを特徴とする、カーボンナノチューブ最終分散体。
【請求項５】
レーザー回折分光測定によって測定されるＤ９０値が５μｍ未満であることを特徴とする、請求項４に記載のカーボンナノチューブ最終分散体。
【請求項６】
分散助剤がポリマー分散助剤からなる群から選択されることを特徴とする、請求項４または５に記載のカーボンナノチューブ最終分散体。
【請求項７】
カーボンナノチューブがマルチスクロール型カーボンナノチューブを含むことを特徴とする、請求項４〜７のいずれかに記載のカーボンナノチューブ最終分散体。
【請求項８】
カーボンナノチューブが完全にまたは部分的に官能化されていることを特徴とする、請求項４〜８のいずれかに記載のカーボンナノチューブ最終分散体。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
異なる規格の容器首に結合する用途で使用される受容装置であって、受容装置の内部に液体や粉などの多様な異種物質が内部に入れられており、前記受容装置を容器首に結合するか、または前記異種物質受容装置を容器首に結合した後に受容装置の本体やその他の上方に設けられた上キャップなどのその他の部位をタッチするか開放する過程において受容装置の内部に入った異種物質が容器内部に落下混合されるか、または受容装置の上方開放部を通じて、受容装置の内部の受容部に入った香りや味がついた固体状の内容物が、容器内部に入った液体が前記受容装置により、放出されるステップで受容部に入った内容物が溶けて放出されるなどの、多様な種類の異種物質が入った装置において、
前記受容装置の下側には、異なる規格の複数以上の容器首のネジ山に結合可能なネジ山部が形成され、
前記ネジ山部は、容器首のネジ山に適用される場合に容器首のネジ山が前記ネジ山部を外側へ押しながら組み立てることが可能になるように、伸縮性のある材料で構成したことを特徴とする容器首に結合して使用する受容装置。
【請求項２】
前記ネジ山部には、内側向きに、第１ネジ山と第２ネジ山とを形成したことを特徴とする請求項１に記載の容器首に結合して使用する受容装置。
【請求項３】
前記第２ネジ山の内径が第１ネジ山の内径より大きいことを特徴とする請求項２に記載の容器首に結合して使用する受容装置。
【請求項４】
前記第１ネジ山または第２ネジ山を有するネジ山部の厚さを薄くしたことを特徴とする請求項１に記載の容器首に結合して使用する受容装置。
【請求項５】
前記受容装置の第１ネジ山のあるネジ山部は、シリコーンなどの軟質樹脂で射出成形されていることを特徴とする請求項１に記載の容器首に結合して使用する受容装置。
【請求項６】
異なる規格の容器首に結合する用途に使用される受容装置であって、前記受容装置を容器首に結合するために下側に結合部であるネジ山部が形成された、複数の容器首に結合する受容装置において、
前記下側に形成されたネジ山部は、容器首のサイズに対応して組み立てられ、結合部であるネジ山部が異なる規格の容器首に組み立てられる場合、ネジ山部が容器首の規格またはネジ山のサイズに応じて拡張される程度が調節されながら前記受容装置が容器首に結合されることを特徴とする容器首に結合して使用する受容装置。
【請求項７】
前記ネジ山部は、弾性よく薄くされていることを特徴とする請求項６に記載の容器首に結合して使用する受容装置。
【請求項８】
前記ネジ山部のいずれかの部位が広がるようにして、広がる部位には、軟質樹脂で弾性部が形成されていることを特徴とする請求項６に記載の容器首に結合して使用する受容装置。
【請求項９】
前記弾性部は多色射出成形されることを特徴とする請求項８に記載の容器首に結合して使用する受容装置。
【請求項１０】
前記ネジ山部は、容器首のネジ山に抵抗を受けると外側へ広がることが可能であるように、一定サイズの空間で弾性的なネジ山部が形成されていることを特徴とする請求項６に記載の容器首に結合して使用する受容装置。
【請求項１１】
前記ネジ山部は、容器首のネジ山に対応する位置の受容装置の内部に組み立て式に形成されていることを特徴とする請求項６に記載の容器首に結合して使用する受容装置。
【請求項１２】
前記組み立て式ネジ山部は、容器首のネジ山に接触されると容器首のサイズに応じてネジ山部が外側に広がる程度が異なって対応するように構成されていることを特徴とする請求項１１に記載の容器首に結合して使用する受容装置。
【請求項１３】
前記ネジ山部は、容器首のネジ山部に対応する位置に組み立て式に形成され、前記ネジ山部は、上方に畳まれた形のものが、受容装置の下端を中心に結合されたことを特徴とする請求項６に記載の容器首に結合して使用する受容装置。
【請求項１４】
前記ネジ山部は、容器首のネジ山のサイズによって外側に広がる程度に差を有し、前記ネジ山部の端部は外側から内側上端方向に吊り上げられた状態であることを特徴とする請求項６に記載の容器首に結合して使用する受容装置。
【請求項１５】
前記ネジ山部の上端方向に空間を形成したことを特徴とする請求項１４に記載の容器首に結合して使用する受容装置。
【請求項１６】
前記ネジ山部がある受容装置の外側に補助台を備え、前記補助台が受容装置とともに作動するとその過程で補助台によりネジ山部が容器首方向に絞られて結合されることを特徴とする請求項６に記載の容器首に結合して使用する受容装置。
【請求項１７】
前記ネジ山部の内側上端に、厚さを薄くして第１ネジ山が形成され、下端に容器首のネジ山サイズに応じて折り畳まれる程度が異なって対応する第２ネジ山が形成されていることを特徴とする請求項６に記載の容器首に結合して使用する受容装置。
【請求項１８】
前記受容装置の内部に、異種物質を入れる貯蔵空間が形成されていることを特徴とする請求項１に記載の容器首に結合して使用する受容装置。
【請求項１９】
前記受容装置の内部に、異種物質を入れる貯蔵空間が形成されていることを特徴とする請求項６に記載の容器首に結合して使用する受容装置。
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
ヒアルロン酸および銀を含む組成物であって、ヒアルロン酸が１３０〜２３０Ｋｄａの間の平均重量分子量を有し、そして銀が２〜１８マイクロメートルの間の平均粒子サイズおよび５ｍ２／ｇ未満ではない表面積を有する多孔性「スポンジ様」構造を持つ微粒子化金属型またはコロイド性金属型を有する、前記組成物。
【請求項２】
ヒアルロン酸が１４５〜２１０Ｋｄａの間の平均重量分子量を有する、請求項１記載の組成物。
【請求項３】
ヒアルロン酸が１６０〜２００Ｋｄａの間の平均重量分子量を有し、そして銀が多孔性「スポンジ様」構造を持つ微粒子化金属型を有する、請求項１記載の組成物。
【請求項４】
ヒアルロン酸が１６０〜２００Ｋｄａの間の平均分子量を有し、そして銀がコロイド性金属型を有する、請求項１記載の組成物。
【請求項５】
ヒアルロン酸が総組成物の０．１〜２％ｗ／ｗの間の濃度を有する、先行する請求項いずれか記載の組成物。
【請求項６】
ヒアルロン酸が総組成物の０．１〜０．５％ｗ／ｗの間の濃度を有する、請求項５記載の組成物。
【請求項７】
ヒアルロン酸が総組成物の０．２％ｗ／ｗの濃度を有する、請求項６記載の組成物。
【請求項８】
多孔性「スポンジ様」構造を持つ微粒子化金属型またはコロイド性金属型の銀が、総組成物の１〜３％ｗ／ｗの間の濃度を有する、先行する請求項いずれか記載の組成物。
【請求項９】
銀が総組成物の２％ｗ／ｗの濃度を有する、請求項９記載の組成物。
【請求項１０】
先行する請求項いずれか記載の組成物、および少なくとも１つの薬学的に許容されうる賦形剤を含む、薬学的配合物。
【請求項１１】
少なくとも１つの賦形剤が、懸濁剤、ビヒクルおよび噴霧剤より選択される、請求項１０記載の薬学的配合物。
【請求項１２】
噴霧剤が、イソブタン／ｎ−ブタン／プロパン混合物およびｎ−ブタンからなる群より選択される、請求項１１記載の薬学的配合物。
【請求項１３】
皮膚適用に適した乾式スプレー、泡または親水性ゲルの形である、請求項１０記載の薬学的配合物。
【請求項１４】
乾式スプレーの形の請求項１３記載の薬学的配合物であって、１６０〜２００ｋＤａの間の平均重量分子量を有するヒアルロン酸を０．２％ｗ／ｗ濃度で、多孔性「スポンジ様」構造を持つ金属微粒子化型の銀を２％ｗ／ｗ濃度で、そして噴霧剤としてｎ−ブタンを含む、前記配合物。
【請求項１５】
乾式スプレーの形の請求項１３記載の薬学的配合物であって、１６０〜２００ｋＤａの間の平均重量分子量を有するヒアルロン酸を０．２％ｗ／ｗ濃度で、コロイド性金属型の銀を２％ｗ／ｗ濃度で、そして噴霧剤としてｎ−ブタンを含む、前記配合物。
【請求項１６】
病変腔中に透明なゲルとして置かれ、最適な湿潤創傷治癒を促進する、乾式スプレーの形の請求項１３〜１５記載の薬学的配合物。
【請求項１７】
１６０〜２００ｋＤａの間の平均重量分子量を有するヒアルロン酸を０．２％ｗ／ｗ濃度で、多孔性「スポンジ様」構造を持つ金属微粒子化型またはコロイド性金属型の銀を２％ｗ／ｗ濃度で、そして噴霧剤としてイソブタン／ｎ−ブタン／プロパン混合物を含む、泡の形の請求項１３記載の薬学的配合物。
【請求項１８】
１６０〜２００ｋＤａの間の平均重量分子量を有するヒアルロン酸を０．２％ｗ／ｗ濃度で、多孔性「スポンジ様」構造を持つ金属微粒子化型またはコロイド性金属型の銀を２％ｗ／ｗ濃度で含む、親水性ゲルの形の請求項１３記載の薬学的配合物。
【請求項１９】
表在性および／または小腔皮膚病変および／または創傷の局所治療における薬剤として使用するための請求項１〜９記載の組成物または請求項１０〜１８記載の配合物。
【請求項２０】
表在性および／または小腔皮膚病変および／または創傷の局所治療における薬剤として使用するための請求項１４記載の薬学的配合物。
【請求項２１】
表在性および／または小腔皮膚病変および／または創傷の局所治療における薬剤として使用するための請求項１５記載の薬学的配合物。
【請求項２２】
表在性および／または小腔皮膚病変および／または創傷の局所治療における薬剤として使用するための請求項１７記載の薬学的配合物。
【請求項２３】
表在性および／または小腔皮膚病変および／または創傷の局所治療における薬剤として使用するための請求項１８記載の薬学的配合物。